(57)【特許請求の範囲】
【請求項１】
水栓に取り付けられ、操作者が回動させることにより吐水を制御するためのハンドルであって、
前記ハンドルは、円筒形状からなり、
前記ハンドルの外側面の一部に前記外側面に沿って形成される操作面の摩擦係数を前記外側面における他の領域の摩擦係数よりも大きく設定し、
前記操作面は、前記外側面において前記ハンドルと前記水栓の接合位置に達しない位置まで延び、
前記操作面はハンドルに組み付けられた操作部材に形成されており、前記操作部材は、前記ハンドルの上端面にまで延びることを特徴とする回動式ハンドル。
【請求項２】
水栓に取り付けられ、操作者が回動させることにより吐水を制御するためのハンドルであって、
前記ハンドルは、円筒形状からなり、
前記ハンドルの外側面の一部に前記外側面に沿って形成される操作面の摩擦係数を前記外側面における他の領域の摩擦係数よりも大きく設定し、
前記操作面は、回動軸方向に前記外側面に沿って延びるライン状の面として形成され、
前記操作面はハンドルに組み付けられた操作部材に形成されており、前記操作部材は、前記ハンドルの上端面にまで延びることを特徴とする回動式ハンドル。
【請求項３】
前記操作面には、複数の突起物が配列されることを特徴とする請求項１または２に記載の回動式ハンドル。
【請求項４】
先端部が終端され、その側面に吐水口が形成される吐水パイプを備え、
前記吐水パイプの前記先端部に請求項１から３のいずれかに記載の回動式ハンドルが設置されることを特徴とする水栓。
【発明の詳細な説明】
【技術分野】
【０００１】
本発明は、水栓に取り付けられる回動式ハンドルに関する。
【背景技術】
【０００２】
台所などに設置される水栓の多くは、ハンドルによって吐水を制御される。ハンドルには、ハンドル本体の回転量によって吐水量を制御する回動式ハンドルがある。
【０００３】
特許文献１では、水栓の吐水口の近く、すなわち、根元ではなく先端部に回動式のハンドルを取り付けている。このような構成によれば、操作者は手前で操作できるため、ハンドル操作時に手に水がかかってしまう可能性は低くなる。しかし、ハンドルにはレバー（つまみ）が設けられているため、レバーにたまたま手や衣服、あるいは、食器などがあたると思わぬ吐水（以下、このような意図せぬ吐水のことを「誤吐水」とよぶことにする）がなされてしまう可能性もある。
【０００４】
特許文献２に示されるようなハンドル自体を握って操作する回動式のハンドルは、レバーをつまんで操作するのではなく指を引っ掛けて操作するため、レバーのような「でっぱり」がなく誤吐水を生じにくい。一方、このような回動式ハンドルの場合、操作するのにどの位置を握るのが適切なのかがわかりにくく、操作者がハンドルを深く握りこんでしまうことがある。操作者が回動式ハンドルを深く握りこむと、吐水や飛沫水が操作者の手にかかってしまう可能性が生じる。衛生面からも、回動式ハンドルを深く強く握らせることは好ましくない。また、水温が高く設定されている時、特に、オフィスを中心として導入されることが多い熱湯専用の水栓の場合、水栓本体が熱くなることもある。この点からも、操作者には回動式ハンドルを浅く握らせることにより、なるべく操作者の手を水栓本体に触れにくくさせたい。
【先行技術文献】
【特許文献】
【０００５】
【特許文献１】特開２００１−２００５５９号公報
【特許文献２】実開昭６１−０５０８７７号公報
【発明の概要】
【発明が解決しようとする課題】
【０００６】
本発明者らは、ハンドルと水栓をなるべくすっきりした外観とし、かつ誤吐水をよりしにくくするためにはレバーのような「でっぱり」の無いハンドルが好ましいと考えている。それと同時に、操作者が正しく操作しやすく、かつ、安全であることも重要である。
【０００７】
本発明は、上記課題に鑑みてなされたものであり、その主たる目的は、デザイン性、操作性および安全性のバランスが考慮された新しい回動式ハンドルを提案することにある。
【課題を解決するための手段】
【０００８】
本発明のある態様における回動式ハンドルは、水栓に取り付けられ、操作者が回動させることにより吐水を制御するためのハンドルである。
このハンドルは、操作者がハンドルをつかむときにハンドルの外側面の一部に形成される操作面に操作者の指を導くために、操作面の摩擦係数を外側面における他の領域の摩擦係数よりも大きく設定している。
【０００９】
回動式ハンドルにレバーなどの「でっぱり」を設けず、ハンドルの外側面に沿った「操作面」を形成しているため、レバーに手や食器等が意図せず触れて誤吐水が生じる可能性を低減させやすくなる。また、レバーのようなでっぱり部分がないため水栓全体の外観をすっきりさせやすい。更に、操作面は外側面における他の領域よりも摩擦係数が大きいため、操作者は触感の違いにより操作面がどこか、いいかえれば、どこにどのように指を添えればよいかを直感的に認識しやすい。このため、操作者が回動式ハンドルを正しく握るように自然に導きやすくなる。
【００１０】
操作面は、回動軸方向に外側面に沿って延びるライン状の面として形成されてもよい。
このような態様によれば、ライン状の操作面がその位置によって回動式ハンドルの回転角を示すので、操作者は吐水状態を操作面の位置から視認しやすくなる。いわば、ライン状の操作面をインジケーターとしても機能させやすくなる。
【００１１】
操作面は、外側面においてハンドルと水栓の接合位置に達しない位置まで延びてもよい。
このような態様によれば、操作者は水栓に触れるほど深く回動式ハンドルを握る必要がないことを視覚的に認識しやすくなる。このため、操作者の指が水栓本体あるいは吐水口に触れる可能性を更に低減させやすい。
【００１２】
操作面はハンドルに組み付けられた操作部材に形成されてもよい。操作部材は、ハンドルの上端面にまで延びてもよい。
このような態様によれば、上端面の一部にも形成される操作部材が回動式ハンドルの回転角を示すことができるので、操作者は上端面側からも吐水状態を視認しやすくなる。いわば、上端面においてもインジケーターとしての視認性を提供しやすい。また、上端面に形成される部分に操作者への注意または指示を記載すれば、操作者により安全かつ正しい操作方法をいっそう確実に認識させやすくなる。
【００１３】
操作面には、摩擦係数を高めるために複数の突起物が配列されてもよい。
このような態様によれば、操作面の摩擦係数を高めることで操作性を向上させやすくなるだけではなく、操作面に触れる指に突起物が明確な触感を与えることで、操作者は触覚的にもどこに指を添えればよいか、どの程度の力をかければよいか、を認識しやすくなる。また、突起物を設けることにより、視覚的にも操作面の場所を認識しやすい。
【００１４】
本発明のある態様における水栓は、先端部が終端され、その側面に吐水口が形成される吐水パイプを備えてもよい。そして、吐水パイプの先端部に上述の回動式ハンドルが設置されてもよい。
このような態様によれば、水栓の吐水口より先端側にハンドルがあるため、ハンドル操作時に操作者の手に水がかかりにくい。
【発明の効果】
【００１５】
本発明によれば、デザイン性、操作性および安全性のバランスを考慮した新しい回動式ハンドルを提供できる。
【図面の簡単な説明】
【００１６】
【図１】オフィスの給湯室に設置されるキッチンの斜視図である。
【図２】熱湯単水栓の外観斜視図である。
【図３】熱湯単水栓の側断面図である。
【図４】熱湯単水栓における吐水部の周辺の拡大側断面図である。
【図５】回動式ハンドルの内部構造を示す図である。
【図６】回動式ハンドルの正面図および側面図である。
【図７】人差し指の腹の長さを説明するための模式図である。
【発明を実施するための形態】
【００１７】
図１は、オフィスの給湯室に設置されるキッチン１０２の斜視図である。
キッチン１０２は、熱湯単水栓１００および混合水栓１０４を備える。熱湯単水栓１００は、最大９５℃の熱湯専用の水栓である。混合水栓１０４は、最大６０℃程度まで温度調整を可能な水栓である。お茶やコーヒーを作るときには、熱湯単水栓１００により即時に熱湯を供給できる。
【００１８】
第１給水管１０６から供給される水は、いったん電気温水器１０８に供給される。電気温水器１０８は、供給された水を加熱して熱湯を作る。電気温水器１０８の第２給水管１１０からは湯、第３給水管１１２からは冷水が混合水栓１０４に供給される。混合水栓１０４の根元に取り付けられるレバー式ハンドル１１６を操作することにより、吐水量と温度（湯と冷水の混合比）を調整できる。混合水栓１０４から吐き出された水は、排水口１１８を介して排水管１２０から排出される。
【００１９】
一方、電気温水器１０８の第４給水管１１４からは熱湯が熱湯単水栓１００に供給される。熱湯単水栓１００の先端に取り付けられる回動式ハンドル１２２を操作することにより、吐水量を調整できる。熱湯単水栓１００は吐水温度の調整をできない。熱湯単水栓１００から吐き出された熱湯も、排水口１１８を介して排水管１２０から排出される。
【００２０】
以下、本実施形態においては、熱湯単水栓１００とそれに取り付けられる回動式ハンドル１２２を中心として説明する。
【００２１】
図２は、熱湯単水栓１００の外観斜視図である。
熱湯単水栓１００は、台座１２４と座金１２６によりキッチン１０２に固定される。吐水パイプ１２８は、台座１２４においてｚ軸を回転軸として１５０度程度回転可能である。吐水パイプ１２８には、図示しないホース（後述）が挿通されている。このホースは台座１２４および継手１４８（図２では図示せず。後述）を介して第４給水管１１４と接続される。詳細は後述するが、ホースと吐水パイプ１２８の間隙が断熱層となり、ホースを通る熱湯の熱エネルギーが吐水パイプ１２８まで伝わりにくい構造となっている。
【００２２】
吐水パイプ１２８はｚ軸方向（垂直方向）に延びたあと、ｙ軸方向に折れ曲がるＬ字形状をしており、その先端側面部に吐水部１３０が形成される。吐水パイプ１２８の先端には回動式ハンドル１２２が取り付けられる。吐水パイプ１２８の根元側ではなく、先端側に回動式ハンドル１２２が設置されるため、操作者は台座１２４付近まで深く手を差し入れなくても、吐水部１３０の手前で熱湯単水栓１００を操作できる。このため、吐水部１３０から吐水される熱湯、あるいは、その飛沫水や湯気が手にかかりにくい安全な構成となっている。
【００２３】
回動式ハンドル１２２の外側面１３４と吐水パイプ１２８の外側面１３４はフラット（面一）につらなる。このため、回動式ハンドル１２２が吐水パイプ１２８を一体化させたシンプルなデザインとなっている。
【００２４】
操作者は、回動式ハンドル１２２に取り付けられるグリップ部材１３２に指を添えて、回動式ハンドル１２２をｙ軸を中心として回転させる。グリップ部材１３２は、回動式ハンドル１２２の外側面１３４においてライン状に延びるとともに、上端面１３８の一部にも形成されるＬ字型の部材である（詳細後述）。図２に示すように、グリップ部材１３２が水平位置にあるときには止水状態となる。そこから回動式ハンドル１２２を回転させると吐水が始まって徐々に流量が増していき、約９０度まで回転させてグリップ部材１３２が垂直位置にあるときには吐水が全開の状態となる。
【００２５】
吐水パイプ１２８および回動式ハンドル１２２の色彩は同一または類似あることが好ましい。本実施形態においては、吐水パイプ１２８および回動式ハンドル１２２は黄銅や亜鉛等の金属により形成される。一方、グリップ部材１３２は、表面に複数の突起物が配列された赤色の樹脂部材であり、「操作面」を形成する。なお、グリップ部材１３２のような別体ではなく、外側面１３４の一部を加工することにより、操作面を形成してもよい。
【００２６】
回動式ハンドル１２２の外側面１３４と、外側面１３４に形成される操作面（グリップ部材１３２）の一番の違いは滑りにくさ（摩擦係数）の違いである。本実施形態においては、グリップ部材１３２の表面に複数の突起物を配列することにより、グリップ部材１３２の摩擦係数を高めている。操作者は、触感および視覚から、回動式ハンドル１２２における操作すべき場所、すなわち、操作面の場所や範囲を直感的に認識できる。したがって、操作者は回動式ハンドル１２２全体を深く握り込む必要はなく、グリップ部材１３２に指を添える程度の把持により回動式ハンドル１２２を操作できることを直感的に理解できる。このように、触感において、好ましくは視覚においても識別しやすい操作面を外側面１３４に沿って形成することにより、操作者の指を自然に操作面に導くことができる。
【００２７】
グリップ部材１３２は、外側面１３４に沿って形成されるため、何かが回動式ハンドル１２２にぶつかっても誤吐水する可能性はほとんどない。本実施形態の熱湯単水栓１００は、すっきりしたデザインでありながら、安全性と操作性にも配慮した構成となっている。
【００２８】
図３は、熱湯単水栓１００の側断面図である。
熱湯単水栓１００の台座１２４は、パッキン１４０を介してキッチン１０２の設置面に挿通され、座金１２６および締付ナット１４２により固定される。台座１２４の上部は回転ソケット１４４に挿通され、台座１２４と回転ソケット１４４は更に２つのＯリング１４６により保持される。第４給水管１１４は、台座１２４および継手１４８を介してホース１５０と接続される。ホース１５０は、吐水パイプ１２８に沿って曲げられる。第４給水管１１４から供給される熱湯はホース１５０を通る。吐水パイプ１２８とホース１５０の間に形成される空気層１５２が断熱層となるため、ホース１５０の熱エネルギーが吐水パイプ１２８に伝わりにくい構成となっている。このような構成により、吐水パイプ１２８の温度上昇を抑制している。
【００２９】
ホース１５０は、継手１５８を介して固定部材１５６と接続される。固定部材１５６は、カバー部材１６０を介して吐水パイプ１２８に固定されている。ホース１５０の出口はスピンドル１５４によってふさがれている。回動式ハンドル１２２を回転させるとスピンドル１５４がｙ軸負方向に動き、ホース１５０の出口が開放され、ホース１５０内の熱湯が吐水部１３０から吐水される。
【００３０】
図４は、熱湯単水栓１００における吐水部１３０周辺の拡大側断面図である。
ホース１５０は継手１５８を介して固定部材１５６と接続される。固定部材１５６にはホース１５０から熱湯が流れ込むので、固定部材１５６も熱くなりやすい。固定部材１５６は、樹脂製のカバー部材１６０を介して吐水パイプ１２８に嵌め込まれる。カバー部材１６０は、固定部材１５６の熱が吐水パイプ１２８に伝わるのを抑止する断熱材であるとともに、固定部材１５６を吐水パイプ１２８に対して固定する役割も担う。
【００３１】
回動式ハンドル１２２の内部には、Ｏリング１６４を介してハンドル本体部１６２が設置される。また、ハンドル本体部１６２は、スピンドル１５４と固定ビス１６６により接続される。止水時においては、ホース１５０の出口１６８は、スピンドル１５４によって塞がれる。回動式ハンドル１２２を回動させると、スピンドル１５４が図４の紙面右方向に移動し、出口１６８が開放され、ホース１５０と吐水部１３０が開通する。出口１６８が開放されると、ホース１５０に流れ込んでいた熱湯は、出口１６８を経由して、吐水部１３０に流れ込み、吐水部１３０の内部の整流キャップ１７０を通って図４の紙面下方向に吐水される。
【００３２】
吐水パイプ１２８と、回動式ハンドル１２２の接合部分には若干の溝１７２がある。回動式ハンドル１２２を回転させ、回動式ハンドル１２２が平行移動すると、溝１７２の幅も大きくなる。溝１７２が深い場合、特に吐水時に溝１７２が目立つ。これは、美観上好ましくない。また、溝１７２が大きく深くなると、溝１７２から湯気が入り込みやすくなる。回動式ハンドル１２２や吐水パイプ１２８に入り込んだ湯気はやがて冷えて水滴となり、溝１７２からしずくとなって垂れてくる可能性もある。このように美観面からも衛生面からも、溝１７２をなるべく小さく、特に、浅くしておきたい。
【００３３】
そこで、本実施形態においては、吐水パイプ１２８から少しだけカバー部材１６０を突出させている。そして、この突出したカバー部材１６０の外側面と回動式ハンドル１２２の内側面を沿わせている。カバー部材１６０と回動式ハンドル１２２の隙間はゼロであることが理想ではあるが、構造上、少なくとも０．５ミリメートル以下、好ましくは、０．２５ミリメートル以下であることが好ましい。このように、カバー部材１６０を吐水パイプ１２８から少し突出させ、回動式ハンドル１２２の内側面をカバー部材１６０の突出部分の外側面に沿わせることで、吐水パイプ１２８と回動式ハンドル１２２の接合部分の溝１７２を浅くしている。
【００３４】
上述のように、カバー部材１６０は断熱材であるとともに固定部材１５６を吐水パイプ１２８内に安定させる役割も担う。本実施形態においては、回動式ハンドル１２２とそれにつながるスピンドル１５４が固定部材１５６に挿入されているため、固定部材１５６の固定が不安定だと回動式ハンドル１２２ががたついてしまう。一方、ネジを吐水パイプ１２８の外側からカバー部材１６０に貫通させてカバー部材１６０や固定部材１５６を安定させる場合、ネジが吐水パイプ１２８の外から見えてしまうため美観上好ましくない。また、カバー部材１６０と吐水パイプ１２８をしっかり固定するためにはネジを複数箇所に設ける必要がある。
【００３５】
そこで、本実施形態においては、吐水部１３０に整流キャップ１７０をねじ込み、整流キャップ１７０がパッキン１７４を介して固定部材１５６およびカバー部材１６０を吐水パイプ１２８に押しつけることで、固定部材１５６とカバー部材１６０を吐水パイプ１２８に固定している。整流部材は、吐水を整流するための必須構成品である。そこで、本実施形態においては、ネジのように吐水部１３０に差し込む整流部材としての整流キャップ１７０に、固定部材１５６やカバー部材１６０を安定させる役割も担わせている。
【００３６】
図５は、回動式ハンドル１２２の内部構造を示す図である。
グリップ部材１３２は、回動式ハンドル１２２の外側面１３４および上端面１３８に沿って嵌め込まれるＬ字型部材である。グリップ部材１３２は、樹脂製であり、表面に複数の突起物が配列されることで摩擦係数を高めている。これらの突起物は視覚的にも、グリップ部材１３２が指を置くべき場所（操作面）であることを示す。
【００３７】
図６は、回動式ハンドル１２２の正面図および側面図である。
まず、グリップ部材１３２のうち、回動式ハンドル１２２の上端面１３８に設置される部分である上面部１７６は、上端面１３８の中心まで延びる。上面部１７６は、図６に示すように水平方向に向いているときには止水状態を示し、約９０度左回転して垂直方向を向くときには吐水が全開の状態を示す。このように、ライン状の上面部１７６の向きにより吐水・止水状態が示されるため、上面部１７６はいわばインジケーターとして機能する。上面部１７６には、また、「ＭＡＸ９５℃」という注意書きが記載され、操作者に注意を促している。上面部１７６には注意事項に限らず、さまざまな操作説明が記載されてもよい。たとえば、回動式ハンドル１２２の回転方向を示す記載や、グリップ部材１３２の側面部１７８に指を添えるように指示する記載があってもよい。
【００３８】
グリップ部材１３２のうち、回動式ハンドル１２２の外側面１３４に設置される部分である側面部１７８は、回動式ハンドル１２２の回転軸方向に沿って延伸する。側面部１７８は、操作面およびインジケーターとして機能する。
【００３９】
上述のように側面部１７８の表面には複数の突起物が配列されている。これにより、操作者は回動式ハンドル１２２においてグリップ部材１３２の側面部１７８が指を添えるべき場所であることを触覚および視覚にて直感的に認識できる。
【００４０】
回動式ハンドル１２２の外側面１３４の長さをＷ２とすると、側面部１７８の長さＷ１はＷ２よりも小さい。すなわち、グリップ部材１３２の外側面１３４は、回動式ハンドル１２２が熱湯単水栓１００と接合する位置まで達しない長さのライン状領域を形成する。吐水パイプ１２８が熱くなりすぎないように、空気層１５２やカバー部材１６０などの断熱層を設けているが、それでも操作者が吐水パイプ１２８に触れることは極力避けたい。特に、吐水部１３０からなるべく操作者の指を遠ざけたい。そこで、Ｗ１＜Ｗ２とすることにより、操作者が回動式ハンドル１２２を深く握り込んで吐水パイプ１２８または吐水部１３０にまで指が触れてしまわないようにしている。
【００４１】
より具体的には、Ｗ１はＷ２の１／２以上３／４未満であることが好ましい。本発明者らの調査によれば、成人の人差し指または親指の第一関節のうち、指の腹に当たる部分の大きさＷ３（図７参照）はおおむね２０ミリメートルから２５ミリメートルの間を分布する。したがって、安全性だけでなく操作性も考慮すると、Ｗ１は２０ミリメートル以上３０ミリメートル未満であることが好ましい。
【００４２】
グリップ部材１３２は、図６に示すような突起物により摩擦係数を高めてもよいし、全体をシボ加工等することにより摩擦係数を高めるほか、ゴム等の弾性体や表面の粗い合成樹脂など、回動式ハンドル１２２本体よりも摩擦係数の大きな材質を採用することで摩擦係数を高めてもよい。また、本実施形態のように、回動式ハンドル１２２の外側面１３４および上端面１３８に沿ったＬ字型のグリップ部材１３２を別途取り付けることにより操作面を形成してもよいし、回動式ハンドル１２２の外側面１３４の一部に凹凸加工を施すことにより、回動式ハンドル１２２の外側面１３４そのものに摩擦係数の大きな操作面（操作用の領域）を形成してもよい。あるいは、外側面１３４にプラスチックフィルムなどのシール部材を貼り付けることで摩擦係数の大きな操作面を形成してもよい。いずれにしても、回動式ハンドル１２２の外側面１３４の一部に他の部分よりも摩擦係数の大きな領域を操作面として形成すればよい。
【００４３】
以上、実施形態に基づいて、熱湯単水栓１００、特に、回動式ハンドル１２２を中心として説明した。
まず、回動式ハンドル１２２は熱湯単水栓１００の根元ではなく先端部に取り付けられる。このため、操作しやすく、吐水部１３０から吐出される熱湯が手に触れる可能性を低減できる。また、回動式ハンドル１２２が吐水口よりも手前かつ高い位置にあるため、ハンドル操作時に、より手に水がかかりにくい配置になっている。また、回動式ハンドル１２２の外側面１３４と吐水パイプ１２８の外側面１３６がフラットに連なるため、回動式ハンドル１２２を熱湯単水栓１００に外観において一体化したシンプルなデザインを実現できる。
【００４４】
色彩および形状において識別可能なグリップ部材１３２によって操作面を形成することにより、操作者の指を自然に操作面に導くことができる。いいかえれば、操作面以外の部分を操作者が把持する可能性を極力減らすことができる。操作者は、グリップ部材１３２の大きさや形状から回動式ハンドル１２２を浅くつまむだけで操作できることを直感的に理解できる。また、回動式ハンドル１２２の回転角がグリップ部材１３２の傾きによって明示されるため、グリップ部材１３２の傾きにより止水・吐水状態を視覚的に認識しやすい。
【００４５】
更に、回動式ハンドル１２２は、レバーのような「でっぱり」をもたないため、誤吐水を生じにくい。外側面１３４に沿って設置されるグリップ部材１３２の側面部１７８は、人差し指または親指の第一関節の腹部分を添えられる程度の大きさであるため、指の力をかけるのに充分な大きさを確保できている。このような構成により、操作性を維持しつつ、操作者の指が吐水パイプ１２８まで触れてしまう可能性を極力低減している。更に、空気層１５２とカバー部材１６０により、ホース１５０を通る熱湯の熱エネルギーが吐水パイプ１２８まで伝わりにくい構成となっている。
【００４６】
このように、触覚および視覚的に操作者に正しい操作方法を導きつつも、人差し指または親指の力を回動式ハンドル１２２に伝えるのに充分な大きさの操作面を形成することにより、操作性と安全性を両立させることができる。また、レバーのようなでっぱりではなく、回動式ハンドル１２２の外側面１３４に沿った摩擦係数の大きな操作面を形成することにより、充分なグリップ力を確保しつつも全体のデザインをすっきりさせることができる。
【００４７】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００４８】
本実施形態においては、熱湯単水栓１００を対象として説明したが、本実施形態における回動式ハンドル１２２は２ハンドル等の混合水栓や冷水用の水栓にも応用可能である。また、ハンドルの位置は水栓の先端でなくてもよく、水栓の根元ちかくにあっても
よいし、カバーやカウンターを挟んで水栓に取付けられるものにも応用可能である。また、台所用の水栓だけではなく、浴室や洗面化粧台の水栓にも応用可能である。
【符号の説明】
【００４９】
１００  熱湯単水栓、  １０２  キッチン、  １０４  混合水栓、  １０６  第１給水管、  １０８  電気温水器、  １１０  第２給水管、  １１２  第３給水管、  １１４  第４給水管、  １１６  レバー式ハンドル、  １２０  排水管、  １２２  回動式ハンドル、  １２４  台座、  １２６  座金、  １２８  吐水パイプ、  １３０  吐水部、  １３２  グリップ部材、  １３４，１３６  外側面、  １３８  上端面、  １４２  締付ナット、  １４４  回転ソケット、  １４８  継手、  １５０  ホース、  １５２  空気層、  １５４  スピンドル、  １５６  固定部材、  １５８  継手、  １６０  カバー部材、  １６２  ハンドル本体部、  １６６  固定ビス、  １６８  出口、  １７０  整流キャップ、  １７２  溝、  １７４  パッキン、  １７６  上面部、  １７８  側面部。
【図１】
0006496118.tif 000002
【図２】
0006496118.tif 000003
【図３】
0006496118.tif 000004
【図４】
0006496118.tif 000005
【図５】
0006496118.tif 000006
【図６】
0006496118.tif 000007
【図７】
0006496118.tif 000008